(57)【要約】【課題】風路切替および風量調整を簡易に行うことができる遮蔽装置およびそれを備えた冷蔵庫を提供する。【解決手段】遮蔽装置７０は、送風機４７と、送風機カバー７２と、内部回転カバー７３と、を具備する。送風機カバー７２は、第１主面部８０と、第１主面部８０の周辺部から立設された第１側面部８１と、第１側面部８１を部分的に開口することで形成された第１開口部７９と、を有する。内部回転カバー７３は、送風機カバー７２の内部に回転可能に配置され、第２主面部８３と、第２主面部８３の周辺部から立設された第２側面部８４と、第２側面部８４を部分的に開口することで形成された第２開口部８５と、を有する。【選択図】図４
2019108996.tif 000002
【特許請求の範囲】
【請求項１】
冷蔵庫の風路を塞ぐ遮蔽装置であり、
送風機と、
第１主面部と、前記第１主面部の周辺部から立設された第１側面部と、前記第１側面部を部分的に開口することで形成された第１開口部と、を有し、前記送風機の回転軸方向に沿って移動する送風機カバーと、
前記送風機カバーの内部に回転可能に配置され、第２主面部と、前記第２主面部の周辺部から立設された第２側面部と、前記第２側面部を部分的に開口することで形成された第２開口部と、を有し、前記送風機カバーと共に前記送風機の回転軸方向に沿って移動する内部回転カバーと、を具備することを特徴とする遮蔽装置。
【請求項２】
前記送風機カバーを、前記内部回転カバーと共に、前記送風機の回転軸に沿って移動させる駆動軸と、
モータの駆動力により前記内部回転カバーを回転させる駆動バーと、を更に具備することを特徴とする請求項１に記載の遮蔽装置。
【請求項３】
前記駆動軸を部分的に突出させた当接部が形成されており、
前記駆動バーが前記当接部を円周方向に沿って押圧することで、前記駆動軸が回転することを特徴とする請求項２に記載の遮蔽装置。
【請求項４】
前記駆動軸は、筒状部と、前記筒状部の一端側から半径方向外側に向かって形成された鍔状部と、前記鍔状部の一部分を前記送風機カバー側に向かって突出させた駆動軸係合部と、を有し、
前記送風機カバーは、前記第１主面部を厚み方向に突出させた内側突出部を有することを特徴とする請求項１から請求項３の何れかに記載の遮蔽装置。
【請求項５】
前記駆動軸係合部は円周方向に沿って細長く形成され、
前記駆動軸係合部の自由端である一端側を、前記送風機カバー側に向かって突出させることで駆動軸突出部が形成され、
前記駆動軸突出部が、前記送風機カバーの前記内側突出部に係合することを特徴とする請求項４に記載の遮蔽装置。
【請求項６】
前記送風機を挟んで前記送風機カバーに対向する位置に配置され、前記送風機で送風される冷気が流通する開口が形成された遮蔽壁と、を更に具備し、
前記送風機カバーおよび前記内部回転カバーが、前記遮蔽壁から離隔することで、前記風路が開状態と成る全開状態となり、
前記送風機カバーおよび前記内部回転カバーが前記遮蔽壁に当接し、前記第１開口部と前記第２開口部との円周位置を異ならせることで、前記風路が遮蔽される全閉状態となり、
前記送風機カバーおよび前記内部回転カバーが前記遮蔽壁に当接したまま、前記内部回転カバーが回転することで、前記第１開口部と前記第２開口部とが重畳して重畳開口部を形成し、前記重畳開口部から送風することができる半開状態となることを特徴とする請求項１から請求項５の何れかに記載の遮蔽装置。
【請求項７】
貯蔵室に前記風路を経由して供給される空気を冷却する冷凍サイクルの冷却器と、
前記冷却器が配設されて前記貯蔵室につながる送風口が形成される冷却室と、
前記送風口を少なくとも部分的に塞ぐ、請求項１から請求項６の何れかに記載された遮蔽装置と、を具備することを特徴とする冷蔵庫。
【発明の詳細な説明】
【技術分野】
【０００１】
本発明は、貯蔵室に繋がる風路を適宜塞ぐ遮蔽装置およびそれを備えた冷蔵庫に関する。
【背景技術】
【０００２】
従来から、特許文献１に記載されたような、一つの冷却器で複数の貯蔵室を適宜冷却する冷蔵庫が知られている。図１０に、この文献に記載された冷蔵庫１００を模式的に示す。この図に示す冷蔵庫１００には、上方から、冷蔵室１０１、冷凍室１０２および野菜室１０３が形成されている。冷凍室１０２の奥側には、冷却器１０８が収納される冷却室１０４が形成されており、冷却室１０４と冷凍室１０２とを区画する区画壁１０５には、冷気を各貯蔵室に供給するための開口部１０６が形成されている。また、この開口部１０６には、冷気を送風する送風機１０７が配設されており、この送風機１０７を覆うカバー１１０が冷凍室１０２側に配置されている。冷蔵室１０１に供給される冷気が流通する風路１０９の途中には、ダンパ１１４が配設されている。
【０００３】
図１１を参照して、上記したカバー１１０を詳述する。カバー１１０は、略四角形形状を呈する凹部１１１が形成されており、凹部１１１の上部を部分的に切り欠いて開口部１１３が形成されている。ここで、カバー１１０が、上記した送風機１０７を覆う状況では、カバー１１０の開口部１１３は、冷蔵庫本体側の風路１０９と連通している。
【０００４】
上記した構成の冷蔵庫１００は次のように動作する。先ず、冷蔵室１０１および冷凍室１０２の両方を冷却する場合は、カバー１１０を送風機１０７から離間させ、ダンパ１１４を開き、この状態で送風機１０７を回転させる。そうすると、冷却室１０４の内部で冷却器１０８により冷却された冷気の一部は、送風機１０７の送風力で、冷凍室１０２に送風される。また、この冷気の他の一部は、風路１０９、ダンパ１１４および風路１０９を経由して、冷蔵室１０１に送風される。これより、冷凍室１０２と冷蔵室１０１の両方が冷却される。
【０００５】
一方、冷蔵室１０１のみを冷却する際には、送風機１０７をカバー１１０で覆い、ダンパ１１４を開き、この状態にて冷却器１０８で冷却された冷気を送風機１０７で送風する。カバー１１０を閉鎖状態にすると、カバー１１０の上部に形成された開口部１１３が、風路１０９と連通するようになる。よって、送風機１０７で送風された冷気は、上記した開口部１１３、ダンパ１１４、風路１０９を経由して、冷蔵室１０１に供給される。
【先行技術文献】
【特許文献】
【０００６】
【特許文献１】特開２０１３−２６６４号公報
【発明の概要】
【発明が解決しようとする課題】
【０００７】
上記した冷蔵庫１００では、カバー１１０を閉じた状態であっても、カバー１１０を部分的に切り欠くことで形成した開口部１１３を経由して冷気を冷蔵室１０１に向けて送風することができる。しかしながら、開口部１１３の開口面積を変更することができないため、開口部１１３を経由して冷蔵室１０１に送風される冷気の風量を調整することが難しい課題があった。
【０００８】
また、ダンパ１１４の開閉度を調整することで、冷蔵室１０１に送風される冷気の風量を調整することは可能ではある。しかしながら、ダンパ１１４を採用することで冷蔵庫全体の構成が複雑になると共にコストが上昇してしまう課題があった。
【０００９】
本発明は、上記の事情に鑑みてなされたものであり、その目的とするところは、風路切替や風量調整を簡易に行うことができる遮蔽装置およびそれを備えた冷蔵庫を提供することにある。
【課題を解決するための手段】
【００１０】
本発明の遮蔽装置は、冷蔵庫の風路を塞ぐ遮蔽装置であり、送風機と、第１主面部と、前記第１主面部の周辺部から立設された第１側面部と、前記第１側面部を部分的に開口することで形成された第１開口部と、を有し、前記送風機の回転軸方向に沿って移動する送風機カバーと、前記送風機カバーの内部に回転可能に配置され、第２主面部と、前記第２主面部の周辺部から立設された第２側面部と、前記第２側面部を部分的に開口することで形成された第２開口部と、を有し、前記送風機カバーと共に前記送風機の回転軸方向に沿って移動する内部回転カバーと、を具備することを特徴とする。
【００１１】
また、本発明の遮蔽装置では、前記送風機カバーを、前記内部回転カバーと共に、前記送風機の回転軸に沿って移動させる駆動軸と、モータの駆動力により前記内部回転カバーを回転させる駆動バーと、を更に具備することを特徴とする。
【００１２】
また、本発明の遮蔽装置では、前記駆動軸を部分的に突出させた当接部が形成されており、前記駆動バーが前記当接部を円周方向に沿って押圧することで、前記駆動軸が回転することを特徴とする。
【００１３】
また、本発明の遮蔽装置では、前記駆動軸は、筒状部と、前記筒状部の一端側から半径方向外側に向かって形成された鍔状部と、前記鍔状部の一部分を前記送風機カバー側に向かって突出させた駆動軸係合部と、を有し、前記送風機カバーは、前記第１主面部を厚み方向に突出させた内側突出部を有することを特徴とする。
【００１４】
また、本発明の遮蔽装置では、前記駆動軸係合部は円周方向に沿って細長く形成され、前記駆動軸係合部の自由端である一端側を、前記送風機カバー側に向かって突出させることで駆動軸突出部が形成され、前記駆動軸突出部が、前記送風機カバーの前記内側突出部に係合することを特徴とする。
【００１５】
また、本発明の遮蔽装置では、前記送風機を挟んで前記送風機カバーに対向する位置に配置され、前記送風機で送風される冷気が流通する開口が形成された遮蔽壁と、を更に具備し、前記送風機カバーおよび前記内部回転カバーが、前記遮蔽壁から離隔することで、前記風路が開状態と成る全開状態となり、前記送風機カバーおよび前記内部回転カバーが前記遮蔽壁に当接し、前記第１開口部と前記第２開口部との円周位置を異ならせることで、前記風路が遮蔽される全閉状態となり、前記送風機カバーおよび前記内部回転カバーが前記遮蔽壁に当接したまま、前記内部回転カバーが回転することで、前記第１開口部と前記第２開口部とが重畳して重畳開口部を形成し、前記重畳開口部から送風することができる半開状態となることを特徴とする。
【００１６】
本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口を少なくとも部分的に塞ぐ遮蔽装置と、を具備することを特徴とする。
【発明の効果】
【００１７】
本発明の遮蔽装置は、冷蔵庫の風路を塞ぐ遮蔽装置であり、送風機と、第１主面部と、前記第１主面部の周辺部から立設された第１側面部と、前記第１側面部を部分的に開口することで形成された第１開口部と、を有し、前記送風機の回転軸方向に沿って移動する送風機カバーと、前記送風機カバーの内部に回転可能に配置され、第２主面部と、前記第２主面部の周辺部から立設された第２側面部と、前記第２側面部を部分的に開口することで形成された第２開口部と、を有し、前記送風機カバーと共に前記送風機の回転軸方向に沿って移動する内部回転カバーと、を具備することを特徴とする。従って、送風機カバーおよび内部回転カバーを送風機の回転軸に沿って移動させることで、送風機カバーおよび内部回転カバーで風路を開閉することが出来る。また、送風機カバーの内部に内部回転カバーを配置していることから、内部回転カバーを回転させて、送風機カバーの第１開口部と内部回転カバーの第２開口部とを重畳させることで、両開口部が重畳する重畳開口部を形成することができる。この重畳開口から特定の貯蔵室に向けて送風することができる。よって、送風機カバーおよび内部回転カバーで風路を開閉することができ、更に、重畳開口部から各貯蔵室に向けて選択的に送風することができる。
【００１８】
また、本発明の遮蔽装置では、前記送風機カバーを、前記内部回転カバーと共に、前記送風機の回転軸に沿って移動させる駆動軸と、モータの駆動力により前記内部回転カバーを回転させる駆動バーと、を更に具備することを特徴とする。従って、駆動軸を回転することで、送風機カバーを送風機に対して離隔および接近させることが可能である。更に、駆動バーが回転することで内部回転カバーを回転させ、上記した第１開口部と第２開口部とを重畳させることができる。
【００１９】
また、本発明の遮蔽装置では、前記駆動軸を部分的に突出させた当接部が形成されており、前記駆動バーが前記当接部を円周方向に沿って押圧することで、前記駆動軸が回転することを特徴とする。従って、駆動バーが当接部を押圧することにより駆動軸が回転することで、所定のタイミングで駆動軸を回転させ、送風機カバーおよび内部回転カバーを送風機の軸方向に沿って移動させることができる。
【００２０】
また、本発明の遮蔽装置では、前記駆動軸は、筒状部と、前記筒状部の一端側から半径方向外側に向かって形成された鍔状部と、前記鍔状部の一部分を前記送風機カバー側に向かって突出させた駆動軸係合部と、を有し、前記送風機カバーは、前記第１主面部を厚み方向に突出させた内側突出部を有することを特徴とする。従って、駆動軸の駆動軸係合部を、送風機カバーの内側突出部に係合させることで、駆動軸を回転方向に固定することができる。よって、この状態で内部回転カバーを回転させることで、送風機カバーの第１開口部と、内部回転カバーの第２開口部とを重畳させ、重畳開口部を形成することができる。更に、その際に、駆動軸を回転させないことで、送風機カバーおよび内部回転カバーを閉状態としたまま、重畳開口部を形成することができる。
【００２１】
また、本発明の遮蔽装置では、前記駆動軸係合部は円周方向に沿って細長く形成され、前記駆動軸係合部の自由端である一端側を、前記送風機カバー側に向かって突出させることで駆動軸突出部が形成され、前記駆動軸突出部が、前記送風機カバーの前記内側突出部に係合することを特徴とする。従って、駆動軸係合部を円周方向に沿って細長く形成することで、駆動軸係合部が変形しやすくなる。よって、駆動軸係合部が弾性変形する際に発生する付勢力で、駆動軸突出部を内側突出部に係合させることができ、駆動軸を確実に回転方向に固定することができる。
【００２２】
また、本発明の遮蔽装置では、前記送風機を挟んで前記送風機カバーに対向する位置に配置され、前記送風機で送風される冷気が流通する開口が形成された遮蔽壁と、を更に具備し、前記送風機カバーおよび前記内部回転カバーが、前記遮蔽壁から離隔することで、前記風路が開状態と成る全開状態となり、前記送風機カバーおよび前記内部回転カバーが前記遮蔽壁に当接し、前記第１開口部と前記第２開口部との円周位置を異ならせることで、前記風路が遮蔽される全閉状態となり、前記送風機カバーおよび前記内部回転カバーが前記遮蔽壁に当接したまま、前記内部回転カバーが回転することで、前記第１開口部と前記第２開口部とが重畳して重畳開口部を形成し、前記重畳開口部から送風することができる半開状態となることを特徴とする。従って、送風機カバーおよび内部回転カバーを遮蔽壁に対して離隔または接近させることで、全開状態および全閉状態を実現することができる。また、第１開口部と前記第２開口部とが重畳することで重畳開口部を形成し、この重畳開口部から送風することができる。よって、半遮蔽状態に於いて、送風機カバーの側面部に任意の面積の開口を形成することができ、貯蔵室に送風される冷気の送風量を調整することができる。
【００２３】
本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口を少なくとも部分的に塞ぐ遮蔽装置と、を具備することを特徴とする。従って、遮蔽装置により、風路を遮蔽するのみでなく、更に風路の切替および風量の調整が可能となる。よって、従来のダンパを省いて冷蔵庫を構成することができる。
【図面の簡単な説明】
【００２４】
【図１】本発明の実施形態に係る冷蔵庫の外観を示す正面図である。
【図２】本発明の実施形態に係る冷蔵庫の内部構成を示す側方断面図である。
【図３】本発明の実施形態に係る冷蔵庫の冷却室付近の構造を示す拡大された側方断面図である。
【図４】本発明の実施形態に係る遮蔽装置を示す図であり、（Ａ）は斜視図であり、（Ｂ）は分解斜視図である。
【図５】本発明の実施形態に係る遮蔽装置を示す図であり、（Ａ）および（Ｂ）は分解斜視図である。
【図６】本発明の実施形態に係る遮蔽装置を示す図であり、（Ａ）は駆動軸を示す斜視図であり、（Ｂ）は送風機カバーを示す斜視図である。
【図７】本発明の実施形態に係る遮蔽装置を示す図であり、（Ａ）は全開状態の遮蔽装置を示す斜視図であり、（Ｂ）はその状態の遮蔽装置の平面図であり、（Ｃ）はその状態の遮蔽装置の断面図である。
【図８】本発明の実施形態に係る遮蔽装置を示す図であり、（Ａ）は全閉状態の遮蔽装置を示す斜視図であり、（Ｂ）はその状態の遮蔽装置の平面図であり、（Ｃ）はその状態の遮蔽装置の断面図である。
【図９】本発明の実施形態に係る遮蔽装置を示す図であり、（Ａ）は半開状態の遮蔽装置を示す斜視図であり、（Ｂ）はその状態の遮蔽装置の平面図であり、（Ｃ）はその状態の遮蔽装置の断面図である。
【図１０】背景技術に係る冷蔵庫を示す拡大側面図である。
【図１１】背景技術に係る冷蔵庫で採用される送風機カバーを示す斜視図である。
【発明を実施するための形態】
【００２５】
以下、本発明の実施形態に係る冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を前方から見た場合の左右を示している。また、以下の説明では、円周方向に於ける位置を円周位置と称する場合があり、半径方向に於ける位置を半径位置と称する場合もある。
【００２６】
図１は、本形態の冷蔵庫１０の概略構造を示す正面外観図である。図１に示すように、冷蔵庫１０は、本体としての断熱箱体１１を備え、この断熱箱体１１の内部に食品等を貯蔵する貯蔵室を形成している。この貯蔵室としては、最上段が冷蔵室１５、その下段左側が製氷室１６で右側が上段冷凍室１８、更にその下段が下段冷凍室１９、そして最下段が野菜室２０である。尚、製氷室１６、上段冷凍室１８および下段冷凍室１９は、何れも冷凍温度域の貯蔵室であり、以下の説明ではこれらを冷凍室１７と総称する場合もある。
【００２７】
断熱箱体１１の前面は開口しており、前記各貯蔵室に対応した開口には、各々断熱扉２１等が開閉自在に設けられている。断熱扉２１は、冷蔵室１５の前面を左右方向に分割して塞ぐもので、断熱扉２１の幅方向における外側上下端部が断熱箱体１１に回転自在に取り付けられている。また、断熱扉２２、２３、２４、２５は、各々収納容器と一体的に組み合わされ、冷蔵庫１０の前方に引出自在に、断熱箱体１１に支持されている。
【００２８】
図２は、冷蔵庫１０の概略構造を示す側方断面図である。図２に示すように、冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した各断熱扉２１〜２５も、断熱箱体１１と同様の断熱構造を採用している。
【００２９】
冷蔵室１５と、その下段に位置する冷凍室１７とは、断熱仕切壁４２によって仕切られている。冷凍室１７の内部の製氷室１６と上段冷凍室１８との間は、ここでは図示しない仕切壁によって仕切られている。また、製氷室１６及び上段冷凍室１８と、その下段に設けられた下段冷凍室１９との間は、冷却された空気である冷気が流通自在に連通している。そして、冷凍室１７と野菜室２０との間は、断熱仕切壁４３によって区分けされている。
【００３０】
冷蔵室１５の背面には、合成樹脂製の仕切体６５で区画され、冷蔵室１５へと冷気を供給する供給風路としての冷蔵室供給風路２９が形成されている。冷蔵室供給風路２９には、冷蔵室１５に冷気を流す吹出口３３が形成されている。
【００３１】
冷凍室１７の奥側には、冷却器４５で冷却された冷気を冷凍室１７へと流す冷凍室供給風路３１が形成されている。冷凍室供給風路３１の更に奥側には、冷却室２６が形成されており、その内部には、庫内を循環する空気を冷却するための蒸発器である冷却器４５が配置されている。
【００３２】
冷却器４５は、圧縮機４４、図示しない放熱器、図示しない膨張手段であるキャピラリーチューブに冷媒配管を介して接続されており、蒸気圧縮式の冷凍サイクル回路を構成するものである。
【００３３】
図３は、冷蔵庫１０の冷却室２６付近の構造を示す側方断面図である。冷却室２６は、断熱箱体１１の内部で、冷凍室供給風路３１の奥側に設けられている。冷却室２６と冷凍室１７との間は、合成樹脂製の仕切体６６によって仕切られている。
【００３４】
冷却室２６の前方に形成される冷凍室供給風路３１は、冷却室２６とその前方に組み付けられる合成樹脂製の前面カバー６７との間に形成された空間であり、冷却器４５で冷却された冷気を流す風路となる。前面カバー６７には、冷凍室１７に冷気を吹き出す開口である吹出口３４が形成されている。
【００３５】
下段冷凍室１９の下部背面には、冷凍室１７から冷却室２６へと空気を戻す戻り口３８が形成されている。そして、冷却室２６の下方には、この戻り口３８につながり、各貯蔵室からの帰還冷気を冷却室２６の内部へと吸入する戻り口２８が形成されている。戻り口２８には、図２に示す野菜室２０の戻り口３９および野菜室帰還風路３７を経由して帰還する冷気も流入する。
【００３６】
また、冷却器４５の下方には、冷却器４５に付着した霜を融かして除去する除霜手段として、除霜ヒータ４６が設けられている。除霜ヒータ４６は、電気抵抗加熱式のヒータである。
【００３７】
冷却室２６の上部には、各貯蔵室につながる開口である送風口２７が形成されている。送風口２７は、冷却器４５で冷却された冷気を流す開口であり、冷却室２６と、冷蔵室供給風路２９および冷凍室供給風路３１とを連通させる。送風口２７には、冷凍室１７等に向けて冷気を送り出す送風機４７が配設されている。
【００３８】
冷却室２６の送風口２７の外側には、送風口２７を塞ぐための遮蔽装置７０が設けられている。遮蔽装置７０は、前面カバー６７に取り付けられている。遮蔽装置７０の詳細な構成および動作は後述する。
【００３９】
図４を参照して、上記した各風路を適宜遮蔽する遮蔽装置７０の構成を説明する。図４（Ａ）は遮蔽装置７０を示す斜視図であり、図４（Ｂ）は遮蔽装置７０を構成する各部材を前後方向に離して示す分解斜視図である。ここで、遮蔽装置７０を構成する各部材は、射出成型された合成樹脂から成る。
【００４０】
図４（Ａ）および図４（Ｂ）を参照して、遮蔽装置７０は、前方側から、遮蔽ベース７１、送風機カバー７２、内部回転カバー７３、駆動軸７４、駆動バー７５、および遮蔽蓋７６を有している。内部回転カバー７３と遮蔽蓋７６との間に、送風機４７が配置される。
【００４１】
遮蔽ベース７１は、円形に成型された合成樹脂板等から成り、遮蔽装置７０の他の部材を機械的に支えている。遮蔽ベース７１の周辺部には、後方に突出する円柱状の支持部７８が取り付けられている。ここでは、３つの支持部７８が円周方向沿いに等間隔に配設されている。支持部７８の後端は、上記した遮蔽蓋７６の前方側主面にビス等の締結手段を介して固定される。
【００４２】
送風機カバー７２は、上記した送風機４７および送風口２７を前方から塞ぐ蓋状部材である。送風機カバー７２は、送風機４７を収納可能な内部空間を有している。また、送風機カバー７２は、駆動軸７４の回転に伴い、送風機４７の回転軸方向である前後方向に移動する。送風機カバー７２が後方に向かって移動し、送風機カバー７２の後方周縁部が遮蔽蓋７６の前面に当接することで、送風機カバー７２と遮蔽蓋７６との間に形成される風路が遮蔽される。
【００４３】
一方、送風機カバー７２が前方に向かって移動し、送風機カバー７２の後方周縁部が遮蔽蓋７６の前面から離間することで、送風機カバー７２と遮蔽蓋７６との間の間隙から冷気が送風される。また、後述するように、送風機カバー７２の側面部には、閉鎖状態での送風を可能にするための開口が形成されている。更に、送風機カバー７２の中心部分を開口することで貫通孔８６が形成されている。
【００４４】
内部回転カバー７３は、上記した送風機カバー７２に内蔵されるカバーであり、送風機カバー７２と同様な形状を呈している。内部回転カバー７３は、送風機カバー７２の内部で適宜回転し、送風機カバー７２と共に前後方向に移動する。後述するように、内部回転カバー７３の側面部には、閉鎖状態での送風を可能にするための開口が形成されている。更に、内部回転カバー７３の中心部分を開口することで貫通孔８７が形成されている。
【００４５】
駆動軸７４は、略円柱形状を呈しており、その側面の一部を螺旋状に連続して突起させた後述するネジ山５８が設けられている。駆動軸７４は、送風機カバー７２および内部回転カバー７３を前後方向に移動させる駆動機構である。駆動軸７４の側面に形成されるネジ山５８と、送風機カバー７２の貫通孔８６の側面に形成される後述するネジ溝５９とは、使用状況下では螺合される。即ち、駆動軸７４のネジ山５８と、送風機カバー７２の貫通孔８６のネジ溝５９とで、ネジ機構が形成されている。
【００４６】
駆動軸７４が例えば後方から見て時計回りに回転すると、送風機カバー７２および内部回転カバー７３は、遮蔽ベース７１から離れ、図２に示す送風口２７を送風機カバー７２が塞いで閉鎖状態となる。よって、送風機４７で送風された冷気は、冷凍室１７には供給されない。一方、駆動軸７４が例えば前方から見て反時計回りに回転すると、送風機カバー７２および内部回転カバー７３は、遮蔽ベース７１側に向かって移動し、図３に示す送風口２７は送風機カバー７２で覆われず、非閉鎖状態となる。よって、送風機４７で送風された冷気は、この間隙を経由して冷凍室１７に供給される。
【００４７】
駆動バー７５は、駆動軸７４に後方側から組み込まれ、送風機カバー７２の内部空間で内部回転カバー７３を回転させる機能を有する。駆動バー７５は、ここでは図示しないモータの駆動力で回転する。駆動バー７５の半径方向外側端部は、内部回転カバー７３の内壁に当接している。
【００４８】
送風機４７は、例えば遠心ファンである図示しないファンと、このファンを回転させるここでは図示しないモータと、を有している。送風機４７の周辺部は、円柱状の支持部７７を介して遮蔽蓋７６に前方から組み付けられている。送風機４７の周辺部は、ビス等の締結手段で支持部７７に締結されている。
【００４９】
遮蔽蓋７６は、円形に成型された合成樹脂板等から成り、送風機４７で送風される冷気を流通させるための開口８８が中央部に形成されている。開口８８は、図３に示した冷却室２６の送風口２７の直近に配置される。
【００５０】
ここで、駆動バー７５は図示しないモータと駆動的に接続される一方、送風機カバー７２、内部回転カバー７３および駆動軸７４は、モータとは直接的に接続されない。内部回転カバー７３および駆動軸７４は、駆動バー７５を介して、モータで回転される。具体的には、内部回転カバー７３は、駆動バー７５の半径方向外側の端部が係合することで、内部回転カバー７３で円周方向に押されて回転する。駆動軸７４は、後述するように、駆動軸７４のボス５４が、駆動バー７５により円周方向に沿って押されることで回転する。送風機カバー７２は、駆動軸７４が回転することで、上記したネジ機構の作用により、前後方向に沿って移動する。
【００５１】
図５を参照して、上記した遮蔽装置７０を更に詳述する。図５（Ａ）および図５（Ｂ）は遮蔽装置７０を構成する各部材を拡大して示す斜視図である。
【００５２】
図５（Ａ）を参照して、送風機カバー７２は、円形状の第１主面部８０と、主面部の周縁部から後方に向かって立設された第１側面部８１とを有する。
【００５３】
第１側面部８１の外側部分に筒形状の挿入孔８２が形成されている。ここでは、円周方向に沿って等間隔に複数の挿入孔８２が形成されている。挿入孔８２には、遮蔽ベース７１の支持部７８が挿入されている。送風機カバー７２の前後方向に開閉動作すると、挿入孔８２の内部で支持部７８は摺動する。これにより、送風機カバー７２の開閉動作が支持部７８でガイドされる。上記したように、駆動軸７４が回転することで、送風機カバー７２の開閉動作が行われる。
【００５４】
送風機カバー７２の第１側面部８１を開口することで第１開口部７９が形成されている。第１開口部７９は、送風機カバー７２が上記した送風機４７を遮蔽した場合でも、貯蔵室に向かって送風するための開口である。
【００５５】
内部回転カバー７３は、略円形状の第２主面部８３と、第２主面部８３の外周縁から後方に向かって立設された第２側面部８４とを有する。第２側面部８４を部分的に切り欠くことで第２開口部８５が形成されている。また、第２側面部８４の内壁に後述する被係合部９０が形成されており、被係合部９０は上記した駆動バー７５と係合する。
【００５６】
図５（Ｂ）を参照して、駆動バー７５は、略円板状の基部６４と、基部６４から連続して半径方向外側に向かって棒状に延びる係合部８９を有している。基部６４は、モータに駆動的に接続されている。係合部８９は、半径方向外側の先端部６２と、先端部６２から半径方向内側に延びる中間部６３とを有している。先端部６２と中間部６３との間には段差が形成されており、先端部６２は中間部６３よりも前方に配置されている。中間部６３の上面は、駆動軸７４の後述する鍔状部５５の後面に当接する。
【００５７】
内部回転カバー７３の第２側面部８４の内側側面を、部分的に半径方向内側に向かってリブ状に突出させることで、被係合部９０が形成されている。駆動バー７５の係合部８９の先端部６２は、内部回転カバー７３の被係合部９０に係合する。具体的には、係合部８９の先端部６２の外側先端部分が、円周方向両側から、リブ状の被係合部９０で挟み込まれる。係る形状により、駆動バー７５を回転させることで、内部回転カバー７３を回転させることができる。
【００５８】
駆動軸７４は、前後方向に沿って略筒状に形成された部材であり、その後方側主面に、駆動軸係合部５３およびボス５４が形成されている。後述するように、駆動軸係合部５３は、駆動軸７４の回転を規制することで、送風機カバー７２の移動を規制するための部位であり、ボス５４は駆動バー７５の駆動力で駆動軸７４を回転させるための部位である。ボス５４は、駆動軸７４の鍔状部５５を、部分的に後方に向かって円柱状に突出させた当接部である。
【００５９】
後述するように、遮蔽装置７０が風路をほぼ完全に遮蔽する全閉状態となると、駆動軸７４の駆動軸係合部５３と、送風機カバー７２の後述する内側突出部６１とが係合する。これにより、駆動軸７４の回転が一時的に抑止され、送風機カバー７２を遮蔽状態としたまま、内部回転カバー７３を回転させ、半遮蔽状態を形成することができる。かかる事項は図９を参照して後述する。
【００６０】
図６を参照して、上記した駆動軸７４および送風機カバー７２の構造を詳述する。図６（Ａ）は駆動軸７４を示す斜視図であり、図６（Ｂ）は送風機カバー７２を示す斜視図である。
【００６１】
図６（Ａ）を参照して、駆動軸７４は、略円筒状の筒状部５７と、筒状部５７の後方側端部から半径方向外側に向かって円板状に延びる鍔状部５５とを有している。筒状部５７の外側側面を螺旋状に突出させることでネジ山５８が形成されている。ネジ山５８は、後述する、送風機カバー７２のネジ溝５９と螺合する。
【００６２】
鍔状部５５の一部をスリットで取り囲むことで、円周方向に沿って細長く伸びる駆動軸係合部５３が形成されている。駆動軸係合部５３の紙面上に於ける右端が、鍔状部５５の他の部分と連続する。一方、駆動軸係合部５３の紙面上に於ける上側側辺、下側側辺および左端は、鍔状部５５の他の部分と非連続となっている。即ち、駆動軸係合部５３の紙面上に於ける左端は、厚み方向に変位可能な自由端である。係る構造により、駆動軸係合部５３は弾性変形可能な状態となっており、後述する送風機カバー７２の内側突出部６１と係合することができる。
【００６３】
駆動軸係合部５３の紙面上に於ける左端側を、前方に向かって突出させることで、駆動軸突出部５６が形成されている。駆動軸突出部５６は、後述する送風機カバー７２の内側突出部６１に半径方向内側から係合する。このようにすることで、駆動軸７４の不要な回転が送風機カバー７２により規制され、駆動軸７４および送風機カバー７２の前後方向に於ける位置を固定した状態で、内部回転カバー７３のみを回転させることができる。
【００６４】
図６（Ｂ）を参照して、送風機カバー７２は、上記したように第１主面部８０および第１側面部８１から構成されており、第１主面部８０の中心部を開口することで貫通孔８６が形成されている。貫通孔８６の半径方向内側側面を部分的に窪ませることでネジ溝５９が形成されている。ネジ溝５９は、上記した駆動軸７４のネジ山５８と螺合する。貫通孔８６の周辺に於ける第１主面部８０の主面を後方に向かって環状に突出させることで、環状突出部６０が形成されている。環状突出部６０の半径方向に於ける外側側面が、上記した内部回転カバー７３の貫通孔８７の半径方向に於ける内側側面に接して摺動する。
【００６５】
環状突出部６０を部分的に半径後方内側に突出させることで、内側突出部６１が形成されている。内側突出部６１の半径方向に於ける位置は、上記した駆動軸７４の駆動軸突出部５６の半径方向に於ける位置と一致している。後方から送風機カバー７２を見た場合の内側突出部６１の形状は、半径方向内側に向かって突出する略三角形形状である。
【００６６】
また、環状突出部６０を部分的に半径方向側方に向かって突出させることで側方突出部４８が形成されている。側方突出部４８は、前後方向に於いて第１主面部８０から離間している。側方突出部４８は、円周方向に沿って略等間隔に複数が形成されている。上記した内部回転カバー７３の第２主面部８３は、送風機カバー７２の、側方突出部４８と第１主面部８０との間に配置される。かかる構成により、前後後方に於いて、送風機カバー７２の内部に於ける内部回転カバー７３の位置が、回転可能な状態で保持される。
【００６７】
上記した構成の遮蔽装置７０は、送風機カバー７２が遮蔽蓋７６から離れる全開状態と、風路がほぼ完全に塞がれる全閉状態と、風路が部分的に遮蔽される半遮蔽状態と、をとることができる。
【００６８】
図７を参照して、全開状態を説明する。図７（Ａ）は全開状態の遮蔽装置７０を示す斜視図であり、図７（Ｂ）はその状態の遮蔽装置７０を示す平面図であり、図７（Ｃ）は図７（Ａ）のＣ−Ｃ線に於ける断面図である。
【００６９】
図７（Ａ）を参照して、駆動バー７５を反時計回りに回転させることで、送風機カバー７２および内部回転カバー７３の後方側端部を、図７（Ｃ）に示す遮蔽ベース７１に当接させている。このようにすることで、全開状態が実現される。
【００７０】
図７（Ｂ）に示すように、ここでは、駆動バー７５を図示しないモータで反時計回りに回転させることで、駆動軸７４のボス５４を、駆動バー７５の係合部８９で円周方向に押している。このようにすることで、駆動バー７５の円周方向に対する押圧力により、駆動軸７４が反時計回りに回転する。上記したように、駆動軸７４と送風機カバー７２との間にはネジ構造が形成されているので、駆動軸７４が反時計回りに回転すると、全開状態に至るまで、送風機カバー７２は前方に向かって移動する。また、送風機カバー７２に内蔵されている内部回転カバー７３も、送風機カバー７２と共に、前方に向かって移動する。
【００７１】
この全開状態では、送風機カバー７２の第１開口部７９と、内部回転カバー７３の第２開口部８５とは円周方向に於いて重畳していない。よって、送風機カバー７２の側面には開口部は形成されていない。
【００７２】
また、駆動バー７５の係合部８９は、内部回転カバー７３の被係合部９０に係合している。よって、遮蔽装置７０を全開状態に移行させる際には、駆動バー７５と共に内部回転カバー７３も回転する。
【００７３】
図７（Ｃ）を参照して、この全開状態では、送風機カバー７２および内部回転カバー７３は、遮蔽蓋７６から離間している。換言すると、送風機カバー７２および内部回転カバー７３の側面部は、送風機４７の側方には配置されていない。送風機カバー７２および内部回転カバー７３と、遮蔽蓋７６との間に間隙が形成されることで、送風機４７で送風される冷気がこの間隙から周囲に向かって送風され、遮蔽装置７０は全開状態となる。
【００７４】
図３を参照して、遮蔽装置７０が全開状態となると、冷却室２６の送風口２７および送風機４７は遮蔽装置７０で遮蔽されない。よって、各供給風路と冷却室２６とは連通する。従って、送風機４７で送風された冷気は、冷蔵室供給風路２９を経由して冷蔵室１５に送風され、冷凍室供給風路３１を経由して冷凍室１７に送風され、図示しない野菜室供給風路を経由して野菜室２０に送風される。
【００７５】
図８を参照して、全閉状態を説明する。図８（Ａ）は全閉状態の遮蔽装置７０を示す斜視図であり、図８（Ｂ）はその状態の遮蔽装置７０を示す平面図であり、図８（Ｃ）は図８（Ａ）のＣ−Ｃ線に於ける断面図である。
【００７６】
図８（Ａ）を参照して、上記した全開状態から、駆動バー７５を時計回りに回転させることで、送風機カバー７２および内部回転カバー７３を、遮蔽蓋７６に当接させている。
【００７７】
図８（Ｂ）に示すように、ここでは、駆動バー７５を図示しないモータで時計回りに回転させることで、駆動軸７４のボス５４を、駆動バー７５の係合部８９で円周方向に押している。このようにすることで、駆動バー７５の円周方向に沿う押圧力により、駆動軸７４が時計回りに回転する。駆動軸７４が時計回りに回転すると、送風機カバー７２および内部回転カバー７３は、後方に向かって移動する。また、送風機カバー７２に内蔵されている内部回転カバー７３も、送風機カバー７２と共に、後方に向かって移動する。
【００７８】
この全閉状態では、送風機カバー７２の第１開口部７９と、内部回転カバー７３の第２開口部８５とは円周方向に於いて重畳していない。よって、送風機カバー７２の側面には開口部は形成されていない。
【００７９】
図８（Ｃ）を参照して、送風機カバー７２および内部回転カバー７３の後方側端部は、遮蔽蓋７６に前方から接触している。よって、送風機カバー７２および内部回転カバー７３と、遮蔽蓋７６との間には間隙は形成されない。また、上記したように、送風機カバー７２の第１開口部７９と、内部回転カバー７３の第２開口部８５とは重畳していない。よって、送風機カバー７２および内部回転カバー７３の側面部には開口は形成されていない。従って、遮蔽装置７０は、上記した冷却室２６と各風路をつなぐ風路を遮蔽する全閉状態となる。
【００８０】
図３を参照して、遮蔽装置７０が全閉状態となると、冷却室２６の送風口２７および送風機４７は遮蔽装置７０で遮蔽される。よって、各供給風路と冷却室２６とは連通しない。従って、冷蔵室１５、冷凍室１７および野菜室２０に冷気は送風されない。
【００８１】
かかる構成で例えば除霜行程が行われる。具体的には、除霜行程においては、ここでは図示しない制御装置が、圧縮機４４および送風機４７を停止し、除霜ヒータ４６に通電することで冷却室２６内の空気を加熱する。このような除霜行程に於いて、遮蔽装置７０が全閉状態であるので、各供給風路と冷却室２６とは分断され、加熱された暖気が送風口２７を経由して各供給風路に漏れることを抑止することができる。
【００８２】
図８（Ｃ）を参照して、遮蔽装置７０をこのような全閉状態とすることで、送風機カバー７２の第１主面部８０は、駆動軸７４の鍔状部５５の前方近傍に配置される。また、この状況では、図６に示した駆動軸７４の駆動軸係合部５３と、送風機カバー７２の内側突出部６１とは、円周位置および半径位置が略一致している。従って、内側突出部６１は内側突出部６１に係合する。具体的には、図６を参照して、駆動軸係合部５３の先端から紙面上下方に突出する駆動軸突出部５６が、送風機カバー７２の内側突出部６１に、半径方向内側から係合する。駆動軸突出部５６は、内側突出部６１に対して、反時計方向に向かって当接する。この時、駆動軸係合部５３は、その先端が紙面上にて上方に湾曲した状態で内側突出部６１に係合する。よって、駆動軸係合部５３が湾曲することで生じる付勢力より、駆動軸係合部５３の駆動軸突出部５６が、送風機カバー７２の内側突出部６１に押しつけられ、両者の係合を強固にすることができる。係る係合により、円周方向に於いて駆動軸７４と送風機カバー７２とは結合され、駆動軸７４が回転しない状態で、内部回転カバー７３のみを回転することができる。かかる事項は後述する。
【００８３】
図９を参照して、半遮蔽状態を説明する。図９（Ａ）は半遮蔽状態の遮蔽装置７０を示す斜視図であり、図９（Ｂ）はその状態の遮蔽装置７０を示す平面図であり、図９（Ｃ）は図９（Ａ）のＣ−Ｃ線に於ける断面図である。ここで、半遮蔽状態とは、送風機カバー７２の後方開口は塞がれた状態であり、且つ、送風機カバー７２の側面部に開口が形成されている状態である。
【００８４】
図９（Ａ）を参照して、上記した全閉状態から、駆動バー７５を反時計周りに回転させることで、送風機カバー７２および内部回転カバー７３を、遮蔽蓋７６に当接させた状態のまま、内部回転カバー７３を回転させている。
【００８５】
図６を参照して上記したように、全閉状態では、駆動軸７４の駆動軸係合部５３と、送風機カバー７２の内側突出部６１とは回転方向に於いて係合している。また、送風機カバー７２は前後方向に進退するのみであり、回転動作はしない。即ち、駆動軸係合部５３と内側突出部６１とにより、駆動軸７４の回転を規制する係合構造が形成されている。具体的には、駆動軸係合部５３の駆動軸突出部５６と内側突出部６１とが係合する。よって、係る係合により、駆動軸７４の回転が規制されている。従って、駆動バー７５がボス５４に当接するまでは、駆動バー７５を反時計回りに回転させても、内部回転カバー７３は回転するが、駆動軸７４は回転しない。よって、駆動軸７４が回転しないことで、送風機カバー７２が前方に向かって移動することもない。
【００８６】
図９（Ｂ）に示すように、このようにすることで、送風機カバー７２の第１開口部７９と、内部回転カバー７３の第２開口部８５とを、円周方向で重畳させることができる。第１開口部７９と第２開口部８５とが重畳する部分が、送風機カバー７２の側面に形成される重畳開口部９１となる。第１開口部７９と第２開口部８５とを全面的に重畳させることで、重畳開口部９１の面積を最大にすることができる。また、第１開口部７９と第２開口部８５とを部分的に重畳させることで、重畳開口部９１の面積を調整し、重畳開口部９１を経由して送風される冷気の送風量を調整することができる。
【００８７】
図９（Ｃ）を参照して、送風機カバー７２および内部回転カバー７３の後方側端部は、遮蔽蓋７６に前方から接触している。一方、上記したように、送風機カバー７２の下部に重畳開口部９１が形成されている。よって、遮蔽装置７０は、上記した冷却室２６の送風口２７を、重畳開口部９１を介して連結させる遮蔽する半遮蔽状態となる。
【００８８】
図３を参照して、遮蔽装置７０が半遮蔽状態となると、冷却室２６の送風口２７から所望の貯蔵室のみに冷気を送風することができる。例えば、図９（Ｃ）に示す遮蔽装置７０の重畳開口部９１を冷蔵室供給風路２９に向けることで、送風機４７で送風された冷気を、冷蔵室供給風路２９を経由して冷蔵室１５のみに送風することができる。また、遮蔽装置７０の重畳開口部９１を冷凍室供給風路３１に向けることで、送風機４７で送風された冷気を、冷凍室供給風路３１を経由して冷凍室１７のみに送風することができる。また、遮蔽装置７０の重畳開口部９１を、ここでは図示しない野菜室供給風路に向けることで、送風機４７で送風された冷気を、野菜室供給風路を経由して野菜室２０のみに送風することができる。
【００８９】
上記したように、第１開口部７９と第２開口部８５とを部分的に重畳させることで、この重畳開口部９１の面積を任意に調整することができる。従って、冷蔵室１５、冷凍室１７または野菜室２０に送風する風量を自在に調整することができる。
【００９０】
ここで、図９に示した半遮蔽状態から、駆動バー７５を更に反時計回りに回転させると、駆動バー７５がボス５４を押圧することで、図６に示した駆動軸７４の駆動軸係合部５３と送風機カバー７２の内側突出部６１との係合が解ける。駆動バー７５がボス５４を円周方向に押し続けることで、駆動軸７４を反時計回りに回転させ、送風機カバー７２が前方に向かって移動する。また、駆動バー７５を反時計回りに回転させることで、内部回転カバー７３が回転する。従って、送風機カバー７２の第１開口部７９と、内部回転カバー７３の第２開口部８５とが重畳しないようになり、上記した重畳開口部９１は閉鎖される。その結果、図７に示した全開状態に至る。
【００９１】
上記のように、本実施形態に係る遮蔽装置７０は、図６に示した駆動バー７５を回転させることで、上記した全開状態、全閉状態および半遮蔽状態を実現することができる。よって、簡素な構成で選択的に冷気を所定の貯蔵室に送風することができるので、従来のダンパを省いて各供給風路を形成することができる。更に、遮蔽装置７０は、半径方向外側に向かって変位する部材がないので、半径方向に於いて遮蔽装置７０が占める大きさを小さくすることができる。
【００９２】
本発明は、上記実施形態に限定されるものではなく、その他、本発明の要旨を逸脱しない範囲で、種々の変更実施が可能である。
【００９３】
例えば、図５（Ａ）を参照して、送風機カバー７２に複数の第１開口部７９を形成し、内部回転カバー７３に複数の第２開口部８５を形成することができる。これにより、送風機カバー７２の内部で内部回転カバー７３を回転させることで、複数の第１開口部７９と複数の第２開口部８５とを適宜に重畳または非重畳させ、多様な風路切替および風量調整を行うことができる。
【符号の説明】
【００９４】
１０   冷蔵庫
１１   断熱箱体
１２   外箱
１３   内箱
１４   断熱材
１５   冷蔵室
１６   製氷室
１７   冷凍室
１８   上段冷凍室
１９   下段冷凍室
２０   野菜室
２１   断熱扉
２２   断熱扉
２３   断熱扉
２４   断熱扉
２５   断熱扉
２６   冷却室
２７   送風口
２８   戻り口
２９   冷蔵室供給風路
３１   冷凍室供給風路
３３   吹出口
３４   吹出口
３７   野菜室帰還風路
３８   戻り口
３９   戻り口
４２   断熱仕切壁
４３   断熱仕切壁
４４   圧縮機
４５   冷却器
４６   除霜ヒータ
４７   送風機
４８   側方突出部
５３   駆動軸係合部
５４   ボス
５５   鍔状部
５６   駆動軸突出部
５７   筒状部
５８   ネジ山
５９   ネジ溝
６０   環状突出部
６１   内側突出部
６２   先端部
６３   中間部
６４   基部
６５   仕切体
６６   仕切体
６７   前面カバー
７０   遮蔽装置
７１   遮蔽ベース
７２   送風機カバー
７３   内部回転カバー
７４   駆動軸
７５   駆動バー
７６   遮蔽蓋
７７   支持部
７８   支持部
７９   第１開口部
８０   第１主面部
８１   第１側面部
８２   挿入孔
８３   第２主面部
８４   第２側面部
８５   第２開口部
８６   貫通孔
８７   貫通孔
８８   開口
８９   係合部
９０   被係合部
９１   重畳開口部
１００ 冷蔵庫
１０１ 冷蔵室
１０２ 冷凍室
１０３ 野菜室
１０４ 冷却室
１０５ 区画壁
１０６ 開口部
１０７ 送風機
１０８ 冷却器
１０９ 風路
１１０ カバー
１１１ 凹部
１１３ 開口部
１１４ ダンパ
【図１】
2019108996.tif 000003
【図２】
2019108996.tif 000004
【図３】
2019108996.tif 000005
【図４】
2019108996.tif 000006
【図５】
2019108996.tif 000007
【図６】
2019108996.tif 000008
【図７】
2019108996.tif 000009
【図８】
2019108996.tif 000010
【図９】
2019108996.tif 000011
【図１０】
2019108996.tif 000012
【図１１】
2019108996.tif 000013